(57)【要約】      （修正有）【課題】ユーザが、遊技場で用いるカードを持参することなく遊技をできる、カード管理システム及びカード管理方法を提供する。【解決手段】発券精算装置１００は、ユーザの生体情報を読み取る生体情報読取部１と、生体情報及びカード識別情報を管理装置３００に送信する発券装置送信部と、を有する。管理装置３００は、ユーザの会員情報とユーザの生体情報である登録済生体情報とを関連付けて記憶する記憶部と、カード識別情報を、発券装置から受信した生体情報に対応する登録済生体情報に関連付けて記憶部に記憶された会員情報に関連付けて記憶部に記憶させる管理部と、カード識別情報と会員情報とを関連付けて記憶部に管理部が記憶させた後に、会員情報を発券装置に送信する管理装置送信部と、を有する。カード排出部５は、発券装置送信部が管理装置に送信したカード識別情報が記録されたカードに会員情報を記録した後に、カードを貸出カードとして排出する。【選択図】図２
2019067209.tif 000002
【特許請求の範囲】
【請求項１】
遊技機で遊技するために使用されるカードを管理するカード管理システムであって、前記カード管理システムは、前記カードを発行する発券装置と、前記カードを使用可能なユーザを管理する管理装置と、を備え、
前記発券装置は、
複数の前記カードを格納する格納部と、
前記ユーザの生体情報を読み取る生体情報読取部と、
前記カードに固有のカード識別情報を読み取るカード読取部と、
前記生体情報及び前記カード識別情報を管理装置に送信する発券装置送信部と、
前記複数のカードのうち１枚のカードを排出するカード排出部と、
を有し、
管理装置は、
前記ユーザの会員情報と前記ユーザの生体情報である登録済生体情報とを関連付けて記憶する記憶部と、
前記発券装置から前記生体情報及び前記カード識別情報を受信したことに応じて、当該カード識別情報を、前記発券装置から受信した前記生体情報に対応する前記登録済生体情報に関連付けて前記記憶部に記憶された前記会員情報に関連付けて前記記憶部に記憶させる管理部と、
前記カード識別情報と前記会員情報とを関連付けて前記記憶部に前記管理部が記憶させた後に、前記会員情報を前記発券装置に送信する管理装置送信部と、
を有し、
前記カード排出部は、前記会員情報を受信したことに応じて、前記発券装置送信部が前記管理装置に送信した前記カード識別情報が記録されたカードに前記会員情報を記録した後に、前記カードを貸出カードとして排出する、カード管理システム。
【請求項２】
前記記憶部は、前記会員情報に関連付けて、前記会員情報に対応する前記ユーザが前記遊技機で使用可能な玉数である持玉数を記憶し、
前記管理装置送信部は、前記会員情報に加えて前記持玉数を前記発券装置に送信し、
前記カード排出部は、前記貸出カードに前記会員情報及び前記持玉数を記録した後に、前記貸出カードを排出する、
請求項１に記載のカード管理システム。
【請求項３】
前記発券装置は、前記貸出カードの挿入を受けるカード挿入部をさらに有し、
前記発券装置送信部は、前記カード読取部が読み取った前記持玉数及び前記会員情報を前記管理装置に送信し、
前記カード読取部は、前記カード挿入部に挿入された前記貸出カードに記録された前記持玉数及び前記会員情報を読み取った後に、前記貸出カードに記録された前記持玉数及び前記会員情報を消去し、
前記管理部は、前記発券装置送信部が送信した前記会員情報に関連付けて、前記発券装置送信部が送信した前記持玉数を前記記憶部に記憶させる、
請求項２に記載のカード管理システム。
【請求項４】
前記発券装置は、前記カード挿入部に挿入された前記貸出カードを排出する操作を受け付ける操作受付部をさらに有し、
前記カード排出部は、前記カード挿入部に挿入された前記貸出カードに記録された前記持玉数がゼロでない場合に、前記操作受付部が受け付けた操作に応じて前記貸出カードを排出し、前記持玉数がゼロである場合に、前記操作受付部が受け付けた操作によらず前記貸出カードを排出しない、
請求項３に記載のカード管理システム。
【請求項５】
前記記憶部は、前記会員情報に関連付けて前記カードの発行枚数を記憶し、
前記管理装置送信部は、前記会員情報に関連付けて前記記憶部に記憶された前記発行枚数が所定の枚数以下であることを条件として、前記会員情報を前記発券装置に送信する、
請求項１から４のいずれか一項に記載のカード管理システム。
【請求項６】
前記遊技機を制御する台間装置をさらに有し、
前記台間装置は、
前記ユーザの生体情報を読み取る第２生体情報読取部と、
前記貸出カードの挿入を受ける第２カード挿入部と、
前記貸出カードに固有のカード識別情報を読み取る第２カード読取部と、
前記生体情報及び前記カード識別情報を管理装置に送信する台間装置送信部と、
前記複数のカードのうち１枚のカードを排出する第２カード排出部と、
前記カード挿入部に挿入された前記貸出カードを排出する操作を受け付ける操作受付部をさらに有し、
前記カード排出部は、前記台間装置が設置された店舗の営業終了時刻から所定の時間以内の場合に、前記カード挿入部に挿入された前記貸出カードを排出せず、前記営業終了時刻から所定の時間以内でない場合に、前記カード挿入部に挿入された前記貸出カードを排出する、
請求項３に記載のカード管理システム。
【請求項７】
遊技機で遊技するために使用されるカードを発行する発券装置と、前記カードを使用可能なユーザを管理する管理装置とによって前記カードを管理するためのカード管理方法であって、
前記発券装置が、前記ユーザの生体情報を読み取るステップと、
前記発券装置に格納された前記カードに固有のカード識別情報を読み取るステップと、
前記発券装置から前記管理装置に前記生体情報及び前記カード識別情報を送信するステップと、
前記発券装置から前記管理装置に送信した前記カード識別情報を、記憶部に記憶された、前記発券装置から受信した前記生体情報に対応する会員情報に関連付けて前記記憶部に記憶させるステップと、
前記カード識別情報と前記会員情報とを関連付けて前記記憶部に記憶させた後に、前記管理装置から前記発券装置に前記会員情報を送信するステップと、
前記発券装置が前記会員情報を受信したことに応じて、前記発券装置が前記管理装置に送信した前記カード識別情報が記録されたカードに前記会員情報を記録するステップと、
前記発券装置が、前記会員情報を記録した前記カードを貸出カードとして排出するステップと、
を有するカード管理方法。
【発明の詳細な説明】
【技術分野】
【０００１】
本発明は、遊技機で遊技するために使用されるカードを管理するカード管理システム及びカード管理方法に関する。
【背景技術】
【０００２】
従来、ＩＣカードを用いて遊技媒体を貸し出すシステムが知られている。特許文献１には、パチンコ台ごとに設置された台間装置においてＩＣカードを用いて決済を行うことで、玉の貸し出しを行うシステムが開示されている。
【先行技術文献】
【特許文献】
【０００３】
【特許文献１】特開２００６−１３９４７６号公報
【発明の概要】
【発明が解決しようとする課題】
【０００４】
従来のシステムにおいては、ユーザは、カードを持参することを忘れてしまうと、会員サービスが受けられないという問題が生じていた。
【０００５】
そこで、本発明はこれらの点に鑑みてなされたものであり、ユーザが、遊技場で用いるカードを持参することなく遊技をすることを可能にするためのカード管理システム及びカード管理方法を提供することを目的とする。
【課題を解決するための手段】
【０００６】
本発明の第１の態様のカード管理システムは、遊技機で遊技するために使用されるカードを管理するカード管理システムであって、前記カード管理システムは、前記カードを発行する発券装置と、前記カードを使用可能なユーザを管理する管理装置と、を備える。前記発券装置は、複数の前記カードを格納する格納部と、前記ユーザの生体情報を読み取る生体情報読取部と、前記カードに固有のカード識別情報を読み取るカード読取部と、前記生体情報及び前記カード識別情報を管理装置に送信する発券装置送信部と、前記複数のカードのうち１枚のカードを排出するカード排出部と、を有する。
【０００７】
上記の管理装置は、前記ユーザの会員情報と前記ユーザの生体情報である登録済生体情報とを関連付けて記憶する記憶部と、前記発券装置から前記生体情報及び前記カード識別情報を受信したことに応じて、当該カード識別情報を、前記発券装置から受信した前記生体情報に対応する前記登録済生体情報に関連付けて前記記憶部に記憶された前記会員情報に関連付けて前記記憶部に記憶させる管理部と、前記カード識別情報と前記会員情報とを関連付けて前記記憶部に前記管理部が記憶させた後に、前記会員情報を前記発券装置に送信する管理装置送信部と、を有し、前記カード排出部は、前記会員情報を受信したことに応じて、前記発券装置送信部が前記管理装置に送信した前記カード識別情報が記録されたカードに前記会員情報を記録した後に、前記カードを貸出カードとして排出する。
【０００８】
前記記憶部は、前記会員情報に関連付けて、前記会員情報に対応する前記ユーザが前記遊技機で使用可能な玉数である持玉数を記憶し、前記管理装置送信部は、前記会員情報に加えて前記持玉数を前記発券装置に送信し、前記カード排出部は、前記貸出カードに前記会員情報及び前記持玉数を記録した後に、前記貸出カードを排出してもよい。
【０００９】
前記発券装置は、前記貸出カードの挿入を受けるカード挿入部をさらに有し、前記発券装置送信部は、前記カード読取部が読み取った前記持玉数及び前記会員情報を前記管理装置に送信し、前記カード読取部は、前記カード挿入部に挿入された前記貸出カードに記録された前記持玉数及び前記会員情報を読み取った後に、前記貸出カードに記録された前記持玉数及び前記会員情報を消去し、前記管理部は、前記発券装置送信部が送信した前記会員情報に関連付けて、前記発券装置送信部が送信した前記持玉数を前記記憶部に記憶させてもよい。
【００１０】
前記発券装置は、前記カード挿入部に挿入された前記貸出カードを排出する操作を受け付ける操作受付部をさらに有し、前記カード排出部は、前記カード挿入部に挿入された前記貸出カードに記録された前記持玉数がゼロでない場合に、前記操作受付部が受け付けた操作に応じて前記貸出カードを排出し、前記持玉数がゼロである場合に、前記操作受付部が受け付けた操作によらず前記貸出カードを排出しなくてもよい。
【００１１】
前記記憶部は、前記会員情報に関連付けて前記カードの発行枚数を記憶し、前記管理装置送信部は、前記会員情報に関連付けて前記記憶部に記憶された前記発行枚数が所定の枚数以下であることを条件として、前記会員情報を前記発券装置に送信してもよい。
【００１２】
カード管理システムは、前記遊技機を制御する台間装置をさらに有し、前記台間装置は、前記ユーザの生体情報を読み取る第２生体情報読取部と、前記貸出カードの挿入を受ける第２カード挿入部と、前記貸出カードに固有のカード識別情報を読み取る第２カード読取部と、前記生体情報及び前記カード識別情報を管理装置に送信する台間装置送信部と、前記複数のカードのうち１枚のカードを排出する第２カード排出部と、前記カード挿入部に挿入された前記貸出カードを排出する操作を受け付ける操作受付部をさらに有し、前記カード排出部は、前記台間装置が設置された店舗の営業終了時刻から所定の時間以内の場合に、前記カード挿入部に挿入された前記貸出カードを排出せず、前記営業終了時刻から所定の時間以内でない場合に、前記カード挿入部に挿入された前記貸出カードを排出してもよい。
【００１３】
本発明の第２の態様のカード管理方法は、遊技機で遊技するために使用されるカードを発行する発券装置と、前記カードを使用可能なユーザを管理する管理装置とによって前記カードを管理するためのカード管理方法であって、前記発券装置が、前記ユーザの生体情報を読み取るステップと、前記発券装置に格納された前記カードに固有のカード識別情報を読み取るステップと、前記発券装置から前記管理装置に前記生体情報及び前記カード識別情報を送信するステップと、前記発券装置から前記管理装置に送信した前記カード識別情報を、記憶部に記憶された、前記発券装置から受信した前記生体情報に対応する会員情報に関連付けて前記記憶部に記憶させるステップと、前記カード識別情報と前記会員情報とを関連付けて前記記憶部に記憶させた後に、前記管理装置から前記発券装置に前記会員情報を送信するステップと、前記発券装置が前記会員情報を受信したことに応じて、前記発券装置が前記管理装置に送信した前記カード識別情報が記録されたカードに前記会員情報を記録するステップと、前記発券装置が、前記会員情報を記録した前記カードを貸出カードとして排出するステップと、を有する。
【発明の効果】
【００１４】
本発明によれば、ユーザが、遊技場で用いるカードを持参することなく遊技をすることを可能にするという効果を奏する。
【図面の簡単な説明】
【００１５】
【図１】本発明の実施形態に係るカード管理システムの概要について説明するための図である。
【図２】発券精算装置の構成を示す図である。
【図３】管理装置の構成を示す図である。
【図４】記憶部においてユーザの会員情報に関連付けて記憶されている各種の情報を示す表である。
【図５】カード管理システムの通信シーケンスを示す図である。
【図６】カード管理システムの通信シーケンスを示す図である。
【図７】発券精算装置の動作を示すフローチャートである。
【発明を実施するための形態】
【００１６】
［カード管理システムＳの概要］
図１は、本発明の第１の実施形態に係るカード管理システムＳの概要について説明するための図である。カード管理システムＳは、店舗において遊技機で遊技するために使用される貸出カードを管理する。店舗は、例えば、パチンコ店であるがパチンコ店以外の遊技場であってもよい。カード管理システムＳは、発券精算装置１００、ネットワーク２００、管理装置３００、複数の台間装置４００及び複数の遊技機５００を有する。
【００１７】
発券精算装置１００は、発券装置の機能と、精算装置の機能との両方を有する。発券精算装置１００は、貸出カードを発行する。貸出カードは、例えば、ＩＣカードである。発券精算装置１００は、多数のストックカードを保持しており、ユーザの貸出カードの発行操作を受け付けた場合に、ストックカードに会員情報を電磁的に記録し、貸出カードとして排出する。会員情報は、店舗の各会員を識別するための文字列を含み、例えば、会員番号を示す情報である。
【００１８】
発券精算装置１００は、貸出カードを発行するユーザ操作を受け付けた場合に、管理装置３００に対し、ネットワーク２００を介して、管理装置３００にユーザの会員情報を要求する。ネットワーク２００は、例えば、店舗内に設置されたＬＡＮ（Local Area Network）である。発券精算装置１００は、管理装置３００からユーザの会員情報を受信し、受信した会員情報をストックカードに記録することにより、貸出カードを発行する。また、発券精算装置１００は、ユーザが貸出カードを返却する操作を受け付けた場合に、貸出カードに記録された会員情報を消去してストックカードとし、このストックカードを回収する。
【００１９】
管理装置３００は、カードを使用可能なユーザを管理するサーバである。管理装置３００は、複数のユーザの会員情報を記憶している。管理装置３００は、発券精算装置１００からユーザの会員情報を要求された場合には、ネットワーク２００を介して、要求されたユーザの会員情報を発券精算装置１００へ送信する。
【００２０】
遊技機５００は、ユーザが遊技をする装置である。本明細書においては、遊技機５００としてパチンコ台を例示するが、本発明は、スロット台であってもよく、ユーザが遊技をすることができる任意の遊技機に適用することができる。
【００２１】
台間装置４００は、それぞれの遊技機５００に接続されており、ユーザが遊技機５００において遊技をする際に遊技機５００の状態を監視したり制御したりする。また、台間装置４００は、発券精算装置１００と同様に、ユーザが貸出カードを返却する操作を受け付けた場合に、貸出カードに記録された会員情報を消去してストックカードとし、このストックカードを回収する。
【００２２】
従来の台間装置４００では、会員登録を行っていない仮会員用の貸出カードについては、貸出カードの残高情報が示す残高と持玉情報が示す持玉数とがいずれもゼロの場合に回収していた。また、会員登録を行った会員用の貸出カードについては回収していなかった。これに対し、本実施の形態では、台間装置４００は、仮会員用の貸出カード及び会員用の貸出カードの両方について、貸出カードの残高情報が示す残高と持玉情報が示す持玉数とがいずれもゼロの場合に回収する。持玉情報は、遊技機５００で使用可能な持玉数を示す情報である。残高情報は、カードにおいて保持されている金額の残高を示す。
【００２３】
［発券精算装置１００の構成］
以下、発券精算装置１００の構成について詳細に説明する。図２は、発券精算装置１００の構成を示す図である。発券精算装置１００は、生体情報読取部１、通信部２、格納部３、カード読取部４、カード排出部５、表示部６、カード挿入部７、記憶部８及び制御部９を有する。生体情報読取部１は、生体情報を読み取るためのセンサーを有している。生体情報読取部１は、例えば、ユーザが生体情報読取部１に指を接触させた状態で光を照射し、その反射光を受光することによりユーザの静脈パターン又は指紋を読み取る。
【００２４】
通信部２は、管理装置３００との間で情報を送受信するための通信インターフェースである。通信部２は、例えばＬＡＮコントローラを含んでいる。格納部３は、複数のストックカードを格納している。
【００２５】
貸出カード及びストックカードには、カードごとに固有のカード識別情報が記録されている。カード識別情報は、例えば、カード番号である。カード読取部４は、カード識別情報を読み取る。具体的には、カード読取部４は、貸出カードを発行する前に、貸出カードの発行に用いるストックカードのカード識別情報を読み取る。また、カード読取部４は、ユーザがカード挿入部７に貸出カードを挿入し、且つ表示部６に設けられたタッチパネルにおいて貸出カードの返却操作を行った場合に、カード挿入部７に挿入された貸出カードに記録された持玉情報、残高情報及び会員情報を読み取る。その後、カード読取部４は、貸出カードに記録された持玉情報、残高情報及び会員情報を消去する。
【００２６】
カード排出部５は、複数のストックカードのうちの１枚のストックカードに会員情報を記録することにより、貸出カードを発行する。また、カード排出部５は、カード排出口（不図示）を介して貸出カードを排出する。より詳しくは、カード排出部５は、管理装置３００から会員情報を受信したことに応じて、受信した会員情報をストックカードに記録する。例えば、カード排出部５は、管理装置３００から会員情報を受信した後、この会員情報をストックカードに記録する。さらに、カード排出部５は、会員情報を記録したストックカードを貸出カードとしてカード排出口を介して排出する。
【００２７】
本実施の形態の例では、カード排出部５は、管理装置３００から会員情報に加えて持玉情報及び残高情報を通信部２において受信したことに応じて、これらの会員情報、持玉情報及び残高情報をストックカードに記録する。表示部６は、制御部９が生成した画像を表示するためのディスプレイである。例えば、表示部６は、生体情報を用いた認証の方法を表示する。
【００２８】
カード挿入部７は、貸出カードの挿入口であり、貸出カードの挿入を受ける。記憶部８は、ＲＯＭ（Read Only Memory）及びＲＡＭ（Random Access Memory）等の記憶媒体である。記憶部８は、制御部９が実行するプログラムを記憶している。また、記憶部８は、生体情報読取部１から取得した生体情報等を一時的に記憶する。
【００２９】
制御部９は、例えばＣＰＵ（Central Processing Unit）である。制御部９は、記憶部８に記憶されたプログラムを実行することにより、生体情報取得部９０１、通信制御部９０２、操作受付部９０３、カード制御部９０４及び精算部９０５として機能する。
【００３０】
生体情報取得部９０１は、生体情報読取部１を制御し、生体情報読取部１が読み取ったユーザの生体情報を取得する。通信制御部９０２は、通信部２により管理装置３００と通信する。例えば、通信制御部９０２は、生体情報取得部９０１が取得した生体情報と、カード読取部４が読み取ったカード識別情報とを管理装置３００に送信する。
【００３１】
操作受付部９０３は、表示部６に設けられたタッチパネルに対するユーザの操作を受け付ける。操作受付部９０３は、カード挿入部７に挿入された貸出カードを排出するユーザの排出操作を受け付ける。ユーザの排出操作は、例えば、貸出カードに記録された持玉を景品に交換する操作である。この場合に、カード排出部５は、カード挿入部７に挿入された貸出カードの持玉数及び残高のいずれかがゼロでなければ、操作受付部９０３が受け付けた排出操作に応じて貸出カードを排出する。
【００３２】
一方、カード排出部５は、カード挿入部７に挿入された貸出カードの持玉数及び残高がいずれもゼロである場合には、操作受付部９０３が受け付けた排出操作によらずに貸出カードを排出しない。
【００３３】
精算部９０５は、カード読取部４が読み取った貸出カードの残高情報を参照して、残高情報が示す残高に応じた現金をユーザに払い出す。精算部９０５は、操作受付部９０３が精算を指示するユーザの操作を受け付けた場合に、残高情報が示す残高に応じた現金をユーザに払い出す。
【００３４】
［管理装置３００の構成］
図３は、管理装置３００の構成を示す図である。管理装置３００は、通信部３１、記憶部３２及び制御部３３を有する。通信部３１は、発券精算装置１００との間で情報を送受信するための通信インターフェースである。通信部３１は、例えばＬＡＮコントローラを含んでいる。記憶部３２は、ＲＯＭ及びＲＡＭ等の記憶媒体である。記憶部３２は、制御部３３が実行するプログラムを記憶している。また、記憶部３２は、各ユーザの会員情報に関連付けて、ユーザを識別するための指紋等の登録済生体情報、持玉情報及び残高情報を記憶している。登録済生体情報は、会員登録時に、ユーザが台間装置４００の生体情報読取部１又は他の生体情報読取装置に身体の一部を接触させることで取得された生体情報である。
【００３５】
制御部３３は、例えばＣＰＵである。制御部３３は、記憶部３２に記憶されたプログラムを実行することにより、通信制御部３３１及び管理部３３２として機能する。通信制御部３３１は、通信部３１により発券精算装置１００との間でデータを送受信する。例えば、通信制御部３３１は、発券精算装置１００からカード識別情報及び生体情報を受信する。また、通信制御部３３１は、貸出カードを発行するためにストックカードに記録する情報として、ユーザの会員情報、持玉情報及び残高情報を発券精算装置１００へ送信する。
【００３６】
なお、通信制御部３３１は、貸出カードの発行枚数をユーザごとに制限してもよい。例えば、記憶部３２では、ユーザの会員情報に関連付けて貸出カードの発行枚数を記憶しており、通信制御部３３１は、ユーザの会員情報に記憶部３２において関連付けられた貸出カードの発行枚数が所定の枚数以下であることを条件として、会員情報及び持玉情報を発券精算装置１００へ送信する構成であってもよい。所定の枚数は、例えば、ユーザが過去に遊技場に来た回数、又はユーザが過去に購入した玉数に基づいて定められた枚数である。このような構成を採用することにより、通信制御部３３１は、ユーザが貸出カードを返却しないことに起因してストックカードの準備に多額の費用がかかることを抑制することができる。
【００３７】
管理部３３２は、ユーザの会員登録時に、ユーザの会員情報に関連付けて、ユーザを識別するための指紋等の登録済生体情報と持玉情報とを記憶部３２に記憶させる。図４を参照して、管理部３３２の動作を説明する。図４は、記憶部３２においてユーザの会員情報に関連付けて記憶されている各種の情報を示す表である。図４に示すように、管理部３３２は、ユーザの会員情報に関連付けて、ユーザの登録済生体情報、カード識別情報、持玉情報、残高情報を記憶部３２に記憶させる。
【００３８】
図４の表の例では、ユーザの会員情報が、会員番号「００１」、「００２」及び「００３」とされている。ユーザの会員情報には、登録済生体情報、カード識別情報、持玉情報及び残高情報が関連付けられて記憶部３２に記憶されている。例えば、ユーザの会員番号「００１」の会員情報には、最上段の指紋画像からなる登録済生体情報と、カード番号「１Ｙ９Ｆ」のカード識別情報と、持玉数「１７８６個」の持玉情報と、残高「１００００円」の残高情報とが関連付けられている。また、ユーザの会員番号「００２」の会員情報には、中段の指紋画像からなる登録済生体情報と、カード番号「ＡＹ９Ｂ」のカード識別情報と、持玉数「１７８個」の持玉情報と、残高「５０００円」の残高情報とが関連付けられている。また、会員番号「００３」のユーザは、貸出カードの返却操作を行った後であるため、会員情報にカード識別番号が関連付けられていない。この場合、会員番号「００３」に関連付けられた持玉数「３４５個」は、次回来店時に遊技機５００で使用するための貯玉数を示す貯玉情報として扱われる。
【００３９】
また、管理部３３２は、発券精算装置１００から生体情報を通信制御部３３１が受信したことに応じて、受信した生体情報を入力したユーザの会員情報を特定する。より詳しくは、管理部３３２は、受信した生体情報を、記憶部３２が記憶している複数の登録済生体情報のそれぞれと比較し、受信した生体情報に対応する記憶部３２内の登録済生体情報を特定する。つまり、管理部３３２は、受信した生体情報と同一人物の登録済生体情報を特定する。
【００４０】
例えば、管理部３３２は、受信した生体情報との類似度が閾値以上となる登録済生体情報を特定する。閾値は、例えば、別人の生体情報を同一人物のものと誤認する可能性が数万分の１又は数十万分の１あるいは数百万分の１以下となる値である。管理部３３２は、特定した登録済生体情報が記憶部３２において関連付けられた会員情報を特定し、特定した会員情報に関連付けて、受信したカード識別情報を記憶部３２に記憶させる。
【００４１】
［台間装置４００の構成］
台間装置４００は、図２の発券精算装置１００の有する各構成を備える。台間装置４００は、生体情報読取部、通信部、格納部、カード読取部、カード排出部、表示部、カード挿入部、記憶部及び制御部を備える。台間装置４００の生体情報読取部、通信部、格納部、カード読取部、カード排出部、表示部、カード挿入部、記憶部及び制御部は、発券精算装置１００における同一名称の各部と同一の機能を有するため、詳細な説明を省略する。
【００４２】
また、台間装置４００の制御部は、発券精算装置１００の制御部９が有する生体情報取得部９０１、通信制御部９０２、操作受付部９０３及びカード制御部９０４と同等の各部を有する。台間装置４００のカード制御部は、発券精算装置１００のカード制御部９０４の機能に加えて、操作受付部９０３が貸出カードの残高を持ち玉に変換することを指示するユーザ操作を受け付けた場合に、貸出カードの持玉情報における持玉数を加算させてもよい。なお、台間装置４００の制御部は、発券精算装置１００と異なる精算処理を実行する。台間装置４００における精算処理の詳細については後述する。
【００４３】
［貸出カード発行処理］
図５は、カード管理システムＳの通信シーケンスを示す図である。このシーケンスは、ユーザが発券精算装置１００の表示部６に設けられたタッチパネルに対し、貸出カードの発行を要求する操作を行ったときに開始する。まず、カード読取部４は、格納部３内の複数のストックカードのうちの１枚のストックカードのカード識別情報を電磁的に読み取る（Ｓ１１）。
【００４４】
次に、生体情報読取部１は、ユーザの生体情報を読み取る（Ｓ１２）。さらに、発券精算装置１００の通信制御部９０２は、カード読取部４が読み取ったカード識別情報と、生体情報読取部１が読み取った生体情報とを管理装置３００へ送信する。管理部３３２は、通信制御部３３１が受信した生体情報を記憶部３２内の複数の登録済生体情報とそれぞれ比較することにより、受信した生体情報に対応する登録済生体情報を特定し、特定した登録済生体情報が記憶部３２において関連付けられたユーザの会員情報を特定する（Ｓ１３）。
【００４５】
管理部３３２は、特定したユーザの会員情報に関連付けて、通信制御部３３１が受信したカード識別情報を記憶部３２に記憶させる（Ｓ１４）。通信制御部３３１は、管理部３３２がカード識別情報をユーザの会員情報に関連付けて記憶部３２に記憶させた後に、記憶させたユーザの会員情報、並びに、この会員情報に記憶部３２において関連付けられた持玉情報及び残高情報を発券精算装置１００へ送信する。
【００４６】
カード排出部５は、管理装置３００へ送信したカード識別情報が記録されたストックカードに対し、通信制御部９０２が受信した会員情報、持玉情報及び残高情報を電磁的に記録する（Ｓ１５）。カード排出部５は、ストックカードに会員情報、持玉情報及び残高情報を記録した後に、ストックカードを貸出カードとして排出する（Ｓ１６）。
【００４７】
［貸出カード返却処理］
図６は、カード管理システムＳの通信シーケンスを示す図である。このシーケンスは、ユーザがカード挿入部７に貸出カードを挿入したときに開始する。まず、発券精算装置１００のカード制御部９０４が、ユーザの貸出カードの返却操作を、表示部６に設けられたタッチパネルを介して受け付ける（Ｓ２１）。
【００４８】
次に、カード読取部４は、カード挿入部７に挿入された貸出カードに記録されているユーザの会員情報、持玉情報及び残高情報を読み取り、通信制御部９０２は、カード読取部４において読み取ったユーザの会員情報、持玉情報及び残高情報を管理装置３００へ送信する。管理部３３２は、受信した持玉情報が示す持玉数を貯玉数として受信したユーザの会員情報に関連付けて記憶部３２に記憶させるとともに、受信した残高情報をユーザの会員情報に関連付けて記憶部３２に記憶させる（Ｓ２２）。
【００４９】
また、管理部３３２は、受信したユーザの会員情報に関連付けて記憶部３２に記憶しているカード識別情報を記憶部３２から削除する（Ｓ２３）。さらに、通信制御部３３１は、管理部３３２がカード識別情報を削除した後、貸出カードに記録されていた情報を記憶部３２に記憶させたことを通知する貯玉完了通知を発券精算装置１００へ送信する。
【００５０】
カード読取部４は、通信制御部９０２が貯玉完了通知を受信した後に、挿入を受けた貸出カードに記録されているユーザの会員情報、持玉情報及び残高情報を消去してストックカードとする（Ｓ２４）。さらに、格納部３は、このストックカードを回収する（Ｓ２５）。
【００５１】
［発券精算装置での精算処理］
図７は、発券精算装置１００の動作を示すフローチャートであり、発券精算装置１００による精算処理を示す。この処理手順は、例えば、操作受付部９０３が貸出カードの精算を指示するユーザの操作を受け付けたときに開始する。
【００５２】
まず、カード読取部４は、貸出カードの残高情報を電磁的に読み出す。精算部９０５は、カード読取部４が読み出した残高情報において残高が残っているか否かを判定する（Ｓ３１）。精算部９０５は、カード読取部４が読み出した残高情報において残高が残っている場合（Ｓ３１のＹＥＳ）、操作受付部９０３が残高の払い戻しを指示するユーザ操作を受け付けたか否かを判定する（Ｓ３２）。精算部９０５は、操作受付部９０３が残高の払い戻しを指示するユーザ操作を受け付けた場合（Ｓ３２のＹＥＳ）、残高を現金で払い戻す精算処理を実行する（Ｓ３３）。
【００５３】
さらに、通信制御部９０２は、持玉情報及び残高情報を管理装置３００へ送信し、管理部３３２は、受信したユーザの会員情報に関連付けて持玉情報及び残高情報を記憶部３２に記憶させる預かり処理を実行する（Ｓ３４）。また、管理部３３２は、受信したユーザの会員情報に関連付けて記憶部３２に記憶しているカード識別情報を記憶部３２から削除する。
【００５４】
続いて、発券精算装置１００の操作受付部９０３は、管理装置３００から貯玉完了通知を受信すると、持玉情報及び残高情報を預かったことを通知するメッセージを表示部６に表示させる。カード読取部４は、貸出カードに記録されているユーザの会員情報、持玉情報及び残高情報を消去してストックカードとする。格納部３は、このストックカードを回収し（Ｓ３５）、処理を終了する。
【００５５】
通信制御部９０２は、ステップＳ３１の判定においてカード読取部４が読み出した残高情報において残高が残っていない場合（Ｓ３１のＮＯ）、ステップＳ３４に進み、預かり処理を実行する。精算部９０５は、ステップＳ３２の判定において操作受付部９０３が残高の払い戻しを指示するユーザ操作を受け付けなかった場合（Ｓ３２のＮＯ）、精算処理を行わないでステップＳ３４に進む。
【００５６】
［台間装置４００での精算処理］
ユーザは、台間装置４００において精算処理を行うこともできる。台間装置４００は、店舗の営業終了時刻から所定の時間以内の場合に、台間装置４００のカード挿入部に挿入された貸出カードを排出しない。所定の時間は、例えば、店舗の営業終了時刻から数十分前である。台間装置４００のカード読取部は、挿入された貸出カードに記録された持玉情報、残高情報及び会員情報を読み取った後に管理装置３００に送信する。管理装置３００は、台間装置４００から受信した持玉情報、残高情報及び会員情報を記憶部３２に記憶させる。そして、台間装置４００は、貸出カードに記録された持玉情報及び会員情報を消去する。一方、台間装置４００のカード排出部は、店舗の営業終了時刻から所定の時間以内でない場合に、当該カード挿入部に挿入された貸出カードを排出する。
【００５７】
このような構成を採用することにより、店舗の営業終了時刻の所定時間以内では、台間装置４００から貸出カードが排出されないので、営業終了時刻が近くなっているにもかかわらず、ユーザが遊技を継続することを防止することができる。
【００５８】
［カード管理システムＳによる効果］
本実施の形態によれば、カード排出部５は、ユーザの生体情報に対応する会員情報をストックカードに記録して貸出カードとし、この貸出カードを排出する。このため、ユーザは、カードを持ち歩かなくても、店舗において貸出カードの発行を受けることができ、会員としてのサービスの提供を受けることができる。
【００５９】
また、本実施の形態によれば、カード排出部５は、貸出カードに会員情報及び持玉数を記録した後に、貸出カードを排出する。このため、ユーザは、店舗のネットワーク２００が切断した場合にも、貸出カードに記録された持玉を使用することにより遊技機５００の利用を継続することができる。
【００６０】
また、本実施の形態によれば、カード読取部４は、カード挿入部７に挿入された貸出カードに記録された持玉情報及び会員情報を読み取った後に、貸出カードに記録された持玉情報及び会員情報を消去する。このため、ユーザが返却した貸出カードにおけるユーザの情報が消去されるため、他のユーザのための再利用が可能になる。
【００６１】
また、本実施の形態によれば、カード排出部５は、カード挿入部７に挿入された貸出カードの持玉数がゼロである場合に、貸出カードを排出しない。このため、持玉数がゼロとなった貸出カードをユーザが廃棄することに起因して店舗のストックカードを準備するのにかかる費用が高額になることを抑制することができる。
【００６２】
また、本実施の形態では、カード排出部５が持玉情報を貸出カードに記録する場合の例について説明した。しかしながら、本発明は、持玉情報を貸出カードに記録する例に限定されない。例えば、カード排出部５は、持玉情報を貸出カードに記録せず、通信制御部９０２は、持玉数が増減するたびに持玉情報を管理装置３００へ通知してもよい。この場合、管理部３３２は、通信制御部３３１が受信した持玉情報を記憶部３２に記憶させる。
【００６３】
また、以上においては、発券精算装置１００と台間装置４００とが別の装置である例について説明したが、本発明はこれに限定されず、台間装置４００が発券精算装置１００の機能を有していてもよい。
【００６４】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００６５】
１  生体情報読取部
２，３１  通信部
３  格納部
４  カード読取部
５  カード排出部
６  表示部
７  カード挿入部
８，３２  記憶部
９，３３  制御部
１００  発券精算装置
２００  ネットワーク
３００  管理装置
３３１，９０２  通信制御部
３３２  管理部
４００  台間装置
５００  遊技機
９０１  生体情報取得部
９０３  操作受付部
９０４  カード制御部
９０５  精算部
Ｓ  カード管理システム
【図１】
2019067209.tif 000003
【図２】
2019067209.tif 000004
【図３】
2019067209.tif 000005
【図４】
2019067209.tif 000006
【図５】
2019067209.tif 000007
【図６】
2019067209.tif 000008
【図７】
2019067209.tif 000009